(57)【特許請求の範囲】
【請求項１】
光路用の開口部を有する地板と、前記地板と平行に配置される裏板と、前記地板及び裏板の間に収容されると共に前記開口部に臨む位置と前記開口部から後退した位置との間を移動するＮＤフィルタ羽根と、前記ＮＤフィルタ羽根を揺動自在に駆動する駆動源とを備えたカメラ用羽根駆動装置であって、
前記ＮＤフィルタ羽根は、少なくとも前記開口部を覆う有効領域から自由端側の領域に亘って平板状のＮＤフィルタのみで成形され、
前記ＮＤフィルタ羽根の自由端側の部分を移動自在に摺接させるべく前記ＮＤフィルタ羽根に隣接して配置されたレール板を設け、
前記ＮＤフィルタ羽根は、前記開口部から後退した位置では少なくとも一部が露出するように略全体が覆われ、
前記ＮＤフィルタ羽根は、前記開口部を覆う有効領域から外れた揺動支点側の領域において、前記ＮＤフィルタの片面に接合されると共に前記地板の支軸を通す支軸孔及び前記駆動源の駆動ピンを通す駆動孔を有する補強板を含み、
前記レール板は、前記補強板が接合された側において前記ＮＤフィルタ羽根の自由端側の片面と隣接するように配置されており、
前記ＮＤフィルタが接合された側において前記補強板に隣接して配置されると共に前記支軸を通す支軸孔及び前記駆動ピンを通す駆動孔を有するスペーサ板を含み、
前記レール板は、前記ＮＤフィルタ羽根の自由端側の両面とだけ隣接するように配置された二つのレール板を含み、
前記二つのレール板は、略同じ形状をしている、カメラ用羽根駆動装置。
【請求項２】
前記ＮＤフィルタ羽根は、前記地板の支軸を通す支軸孔及び前記駆動源の駆動ピンを通す駆動孔を画定するべく全域に亘って平板状のＮＤフィルタのみで形成され、
前記ＮＤフィルタ羽根の前記開口部を覆う有効領域から外れた揺動支点側の領域において、前記ＮＤフィルタ羽根の片面に隣接して配置されると共に前記支軸を通す支軸孔及び前記駆動ピンを通す駆動孔を有するスペーサ板を含み、
前記レール板は、前記スペーサ板が配置された側において前記ＮＤフィルタ羽根の自由端側の片面と隣接するように配置されている、請求項１に記載のカメラ用羽根駆動装置。
【請求項３】
前記ＮＤフィルタ羽根は、前記地板の支軸を通す支軸孔及び前記駆動源の駆動ピンを通す駆動孔を画定するべく全域に亘って平板状のＮＤフィルタのみで形成され、
前記ＮＤフィルタ羽根の前記開口部を覆う有効領域から外れた揺動支点側の領域において、前記ＮＤフィルタ羽根の両面を挟み込むように隣接して配置されると共に前記支軸を通す支軸孔及び前記駆動ピンを通す駆動孔をそれぞれ有する二つのスペーサ板を含み、
前記レール板は、前記ＮＤフィルタ羽根の自由端側の両面と隣接するように配置された二つのレール板を含む、請求項１に記載のカメラ用羽根駆動装置。
【請求項４】
前記スペーサ板は、前記ＮＤフィルタに接合されている、請求項２又は３に記載のカメラ用羽根駆動装置。
【請求項５】
前記ＮＤフィルタ羽根の外周は、前記開口部と対応する形状の曲線部分および前記ＮＤフィルタ羽根が前記開口部から後退した位置で該開口部の縁と近接する直線部分を含み、
前記レール板と摺接する自由端側の部分は、前記曲線部分と前記直線部分との間に設けられる、請求項１ないし４のいずれか一つに記載のカメラ用羽根駆動装置。
【請求項６】
前記地板及び裏板の間には、複数の羽根室を形成するべく配置された少なくとも二つの仕切り板を含み、
前記ＮＤフィルタ羽根は、前記二つの仕切り板の間に配置され、
前記レール板は、前記二つの仕切板の間において前記仕切板に隣接するように配置されている、請求項１ないし５のいずれか一つに記載のカメラ用羽根駆動装置。
【発明の詳細な説明】
【技術分野】
【０００１】
本発明は、カメラにおける光量を調節する羽根部材（シャッタ羽根、絞り羽根、ＮＤフィルタ羽根等）を備えたカメラ用羽根駆動装置に関し、特に、開口部に臨む位置と開口部から後退した位置との間を揺動して光量を調節するＮＤフィルタ羽根を備えたカメラ用羽根駆動装置に関する。
【背景技術】
【０００２】
従来のカメラ用羽根駆動装置としては、光路用の開口部を有する地板、地板に対して揺動自在に支持され開口部に臨む位置と開口部から後退した後退位置との間を移動する絞り羽根、地板と協働して絞り羽根を移動自在に収容する羽根室を形成する裏板、絞り羽根を駆動するべく地板に設けられた電磁アクチュエータ等を備え、絞り羽根として、地板の開口部よりも小さい口径をなす一対の補強羽根の間に平板状のＮＤフィルタを挟み込んだ積層構造を採用したものが知られている（例えば、特許文献１を参照）。
【０００３】
しかしながら、この装置においては、ＮＤフィルタを一対の補強羽根で挟み込むと共にＮＤフィルタが露出する有効領域の周りを補強羽根で環状に取り囲んで補強する構成であるため、ＮＤフィルタの有効領域を少なくとも地板の開口部と略同一の面積（径寸法）にしてＮＤフィルタ羽根を形成する場合、一対の補強羽根の外径はさらに大きくなり、それ故に、ＮＤフィルタ羽根を開口部から後退させるためにはより広い後退用のスペース（占有面積）が必要になり、装置の幅広化、大型化を招き、近年のカメラ等における小型化、幅狭化等の要求に対応できるものではない。また、ＮＤフィルタの有効領域の周りを補強板により環状に補強する構成では、ＮＤフィルタ羽根が開口部に向かう際に環状の補強部分で開口部が遮られて、瞬間的なブラックアウトを生じる。
【０００４】
他のカメラ用羽根駆動装置としては、光路用の開口部を有する地板、地板に平行に配置された中地板及び補助地板、中地板及び補助地板の間に配置されて開口部に臨む位置と開口部から後退した後退位置との間を移動するべく地板に揺動自在に支持されたＮＤフィルタ羽根、ＮＤフィルタ羽根を駆動するべく地板に設けられた電磁アクチュエータ（ムービングマグネット型モータ）等を備え、ＮＤフィルタ羽根を１枚の平板状をなすＮＤフィルタのみで形成し、このＮＤフィルタ羽根の傷付きを防止するべく、ＮＤフィルタ羽根が開口部を覆う有効領域に対応するように中間地板及び補助地板に化学エッチングを施してＮＤフィルタ羽根と非接触となる凹部を形成し、又は、補助地板にエンボス加工を施してＮＤフィルタ羽根の有効領域から外れた部分を摺接させる二つの突条部を設けたものが知られている（例えば、特許文献２を参照）。
【０００５】
しかしながら、この装置においては、中地板及び補助地板に化学エッチングを施して凹部を形成する実施形態では、中地板及び補助地板として金属板を使用する必要があり、又、化学エッチングを施すためその分だけ加工処理が必要になると共に製造コストの増加を招き、又、補助地板にエンボス加工を施して突条部を設ける実施形態では、同様にエンボス加工の分だけ加工処理が必要になると共に製造コストの増加を招き、さらに、エンボス加工では突条部の高さにバラツキを生じ易く、ＮＤフィルタ羽根を狭い空間で移動自在に支持できない虞がある。
【先行技術文献】
【特許文献】
【０００６】
【特許文献１】特開２００４−３０９５３１号公報
【特許文献２】特開２００５−１７３１３３号公報
【発明の概要】
【発明が解決しようとする課題】
【０００７】
本発明は、上記の事情に鑑みて成されたものであり、その目的とするところは、近年のカメラの薄型化、小型化、高機能化等の要求に対応するべく、ＮＤフィルタ羽根の外輪郭が占める占有面積をできるだけ小さくして、全体として、小型化、薄型化、軽量化、低コスト化等を図りつつ、特にＮＤフィルタの有効領域における傷付き等を防止して、安定して光量の調整を行うこができるカメラ用羽根駆動装置を提供することにある。
【課題を解決するための手段】
【０００８】
本発明のカメラ用羽根駆動装置は、光路用の開口部を有する地板と、地板と平行に配置される裏板と、地板及び裏板の間に収容されると共に開口部に臨む位置と開口部から後退した位置との間を移動するＮＤフィルタ羽根と、ＮＤフィルタ羽根を揺動自在に駆動する駆動源とを備えたカメラ用羽根駆動装置であって、ＮＤフィルタ羽根は、少なくとも開口部を覆う有効領域から自由端側の領域に亘って平板状のＮＤフィルタのみで成形され、ＮＤフィルタ羽根の自由端側の部分を移動自在に摺接させるべくＮＤフィルタ羽根に隣接して配置されたレール板を設け、ＮＤフィルタ羽根は、開口部から後退した位置では少なくとも一部が露出するように略全体が覆われる、ことを特徴としている。
この構成によれば、ＮＤフィルタ羽根の少なくとも（開口部を覆う）有効領域から自由端側の領域を平板状のＮＤフィルタのみで形成するため、環状の補強板が無い分だけ開口部に対応する領域の外輪郭を小さくでき、ＮＤフィルタ羽根の小型化、薄型化、軽量化、低コスト化等を達成することができ、しかもＮＤフィルタ羽根（のＮＤフィルタ）の自由端側の部分をレール板に摺接させてガイドするため、強度の低下を補いつつ有効領域における傷付き等を防止して確実に作動させることができ、それ故に所望の光量調整を行うことができる。
また、ＮＤフィルタ羽根が開口部から後退した際に占有する占有面積を小さくすることができ、装置全体としての小型化等を達成することができる。
さらに、ＮＤフィルタ羽根の有効領域から自由端側の領域に亘ってＮＤフィルタのみで形成されているため、ＮＤフィルタ羽根が開口部に向かう際に、瞬間的なブラックアウトを生じることもない。
【０００９】
上記構成において、ＮＤフィルタ羽根は、開口部を覆う有効領域から外れた揺動支点側の領域において、ＮＤフィルタの片面に接合されると共に地板の支軸を通す支軸孔及び駆動源の駆動ピンを通す駆動孔を有する補強板を含み、レール板は、補強板が接合された側においてＮＤフィルタ羽根の自由端側の片面と隣接するように配置されている、構成を採用することができる。
この構成によれば、ＮＤフィルタ羽根の有効領域から外れた揺動支点側の領域において補強板を接合するため、特に駆動源の駆動力が及ぼされる領域において機械的な強度を確保することができ、又、補強板が接合される側にレール板を配置するため、ＮＤフィルタ羽根の有効領域から自由端側の領域（ＮＤフィルタ）を平面の状態に維持して、有効領域における傷付き等を防止しつつ円滑に移動するようにガイドすることができる。
【００１０】
上記構成において、ＮＤフィルタが接合された側において補強板に隣接して配置されると共に支軸を通す支軸孔及び駆動ピンを通す駆動孔を有するスペーサ板を含み、レール板は、ＮＤフィルタ羽根の自由端側の両面とだけ隣接するように配置された二つのレール板を含む、構成を採用することができる。
この構成によれば、補強板とスペーサ板の間にＮＤフィルタ羽根のＮＤフィルタが配置された状態となり、ＮＤフィルタ羽根（のＮＤフィルタ）の自由端側の両面がそれぞれレール板により摺接自在に支持されるため、ＮＤフィルタの部分を確実に平面の状態に維持して、有効領域における傷付き等を防止しつつより円滑に移動するようにガイドすることができる。
【００１１】
上記構成において、二つのレール板は、略同じ形状をしている、構成を採用することができる。
【００１２】
上記構成において、ＮＤフィルタ羽根は、地板の支軸を通す支軸孔及び駆動源の駆動ピンを通す駆動孔を画定するべく全域に亘って平板状のＮＤフィルタのみで形成され、ＮＤフィルタ羽根の開口部を覆う有効領域から外れた揺動支点側の領域において、ＮＤフィルタ羽根の片面に隣接して配置されると共に支軸を通す支軸孔及び駆動ピンを通す駆動孔を有するスペーサ板を含み、レール板は、スペーサ板が配置された側においてＮＤフィルタ羽根の自由端側の片面と隣接するように配置されている、構成を採用することができる。
この構成によれば、ＮＤフィルタ羽根を全てＮＤフィルタで形成し、その有効領域から外れた揺動支点側の領域においてスペーサ板を隣接して配置するため、特に駆動源の駆動力が及ぼされる領域においてはスペーサ板により機械的な強度を確保することができ、又、スペーサ板が配置される側にレール板を配置するため、ＮＤフィルタ羽根の全域（ＮＤフィルタ）を平面の状態に維持して、有効領域における傷付き等を防止しつつ円滑に移動するようにガイドすることができる。
【００１３】
上記構成において、ＮＤフィルタ羽根は、地板の支軸を通す支軸孔及び駆動源の駆動ピンを通す駆動孔を画定するべく全域に亘って平板状のＮＤフィルタのみで形成され、ＮＤフィルタ羽根の開口部を覆う有効領域から外れた揺動支点側の領域において、ＮＤフィルタ羽根の両面を挟み込むように隣接して配置されると共に支軸を通す支軸孔及び駆動ピンを通す駆動孔をそれぞれ有する二つのスペーサ板を含み、レール板は、ＮＤフィルタ羽根の自由端側の両面と隣接するように配置された二つのレール板を含む、構成を採用することができる。
この構成によれば、ＮＤフィルタ羽根を全てＮＤフィルタで形成し、二つのスペーサ板の間にＮＤフィルタ羽根（ＮＤフィルタ）が配置された状態となり、ＮＤフィルタ羽根（ＮＤフィルタ）の自由端側の両面がそれぞれレール板により摺接自在に支持されるため、ＮＤフィルタ羽根（ＮＤフィルタ）を確実に平面の状態に維持して、有効領域における傷付き等を防止しつつより円滑に移動するようにガイドすることができる。
【００１４】
上記ＮＤフィルタ羽根を全てＮＤフィルタで形成した構成において、スペーサ板（一つのスペーサ板又は二つのスペーサ板）は、ＮＤフィルタに接合されている、構成を採用することができる。
この構成によれば、スペーサ板が、（ＮＤフィルタ羽根の全域を形成する）ＮＤフィルタに接合されるため、機械的強度をさらに高めることができる。
【００１５】
上記構成において、ＮＤフィルタ羽根の外周は、開口部と対応する形状の曲線部分およびＮＤフィルタ羽根が開口部から後退した位置で該開口部の縁と近接する直線部分を含み、レール板と摺接する自由端側の部分は、曲線部分と直線部分との間に設けられる、構成を採用することができる。
【００１６】
上記構成において、地板及び裏板の間には、複数の羽根室を形成するべく配置された少なくとも二つの仕切り板を含み、ＮＤフィルタ羽根は、二つの仕切り板の間に配置され、レール板は、二つの仕切板の間において仕切板に隣接するように配置されている、構成を採用することができる。
この構成によれば、地板と一方の仕切板の間及び裏板と他方の仕切板の間に、別の羽根部材（シャッタ羽根、絞り羽根等）が配置される構成において、二つの仕切板の間にＮＤフィルタ羽根及びレール板を配置することで、ＮＤフィルタを用いた光量調整機能の他に、シャッタ機能、絞り機能等を備えたカメラ用羽根駆動装置を得ることができる。
【発明の効果】
【００１７】
上記構成をなすカメラ用羽根駆動装置によれば、ＮＤフィルタ羽根の外輪郭が占める占有面積を従来よりも小さくでき、全体として、小型化、薄型化、軽量化、低コスト化等を達成しつつ、特にＮＤフィルタの有効領域における傷付き等を防止して、安定して光量の調整を行うこができ、近年の薄型化、小型化、高機能化等が要求されるカメラに適したカメラ用羽根駆動装置を得ることができる。
【図面の簡単な説明】
【００１８】
【図１】本発明に係るカメラ用羽根駆動装置の一実施形態を示す分解斜視図である。
【図２】図１に示すカメラ用羽根駆動装置に含まれるＮＤフィルタ羽根を示すものであり、（ａ）はＮＤフィルタ羽根の平面図、（ｂ）はＮＤフィルタ羽根において開口部を覆う有効領域から自由端側の領域をクロスハッチングで示した平面図である。
【図３】図１に示すカメラ用羽根駆動装置において、ＮＤフィルタ羽根が開口部から後退した位置にある状態を示す平面図である。
【図４】図１に示すカメラ用羽根駆動装置において、ＮＤフィルタ羽根が開口部に臨む位置にある状態を示す平面図である。
【図５】図１に示すカメラ用羽根駆動装置における組付け手順を示すものであり、（ａ）は地板に対して一つの仕切板が組み付けられた状態を示す平面図、（ｂ）は一つの仕切板の上から一つのレール板が組み付けられた状態を示す平面図、（ｃ）は一つのレール板の上からＮＤフィルタ羽根が組み付けられた状態を示す平面図である。
【図６】図１に示すカメラ用羽根駆動装置における組付け手順を示すものであり、（ｄ）はＮＤフィルタ羽根の上から他のレール板が組み付けられた状態を示す平面図、（ｅ）は他のレール板の上から他の仕切板が組み付けられた状態を示す平面図、（ｆ）は他の仕切板の上から裏板が組み付けられた状態を示す平面図である。
【図７】本発明に係るカメラ用羽根駆動装置の他の実施形態（ＮＤフィルタ羽根をＮＤフィルタのみで形成し、二つのスペーサ板を配置した構成）を示す分解斜視図である。
【図８】図７に示すカメラ用羽根駆動装置に含まれるＮＤフィルタ羽根を示すものであり、（ａ）はＮＤフィルタ羽根の平面図、（ｂ）はＮＤフィルタ羽根において開口部を覆う有効領域から自由端側の領域をクロスハッチングで示した平面図である。
【発明を実施するための形態】
【００１９】
以下、本発明の実施形態について、添付図面を参照しつつ説明する。
この実施形態に係るカメラ用羽根駆動装置は、図１に示すように、略円板状の地板１０、地板１０の平行に配置される裏板２０、地板１０と裏板２０の間に配置される二つの仕切板３０，３０、二つの仕切板３０，３０の間に配置される羽根部材としてのＮＤフィルタ羽根４０、ＮＤフィルタ羽根４０に隣接して配置されるスペーサ板５０、ＮＤフィルタ羽根４０（のＮＤフィルタ４１）の自由端側の両面を摺接させるように支持する二つのレール板６０，６０、地板１０に設けられた駆動源としての電磁アクチュエータ７０（ロータ７１、ヨーク７２、コイル７３、ボビン一体型の押え板７４等）等を備えている。
【００２０】
地板１０は、図１、図３、図４に示すように、光路用の開口部１０ａ、ロータ７１を回動自在に支持する支軸１０ｂ、ロータ７１の駆動ピン７１ａを移動可能に通す扇状の貫通孔１０ｃ、押え板７４を固定するための固定部１０ｄ、仕切板３０，３０を位置決めする位置決め突起１０ｅ、ＮＤフィルタ羽根４０を揺動自在に支持する支軸１０ｆ、ＮＤフィルタ羽根４０を開口部１０ａから後退した位置と開口部１０ａに臨む位置にそれぞれ停止させるストッパ１０ｇ，１０ｈ、レール板６０，６０を位置決めする位置決め突起１０ｉ、裏板２０を位置決めする位置決め突起１０ｊ、裏板２０を組み付けるための掛止部１０ｋ、裏板２０を締結するべくネジＢを捩じ込むネジ穴１０ｍ等を備えている。
【００２１】
裏板２０は、図１、図３、図４に示すように、地板１０と略同一の外径をなす略円板状に形成され、開口部１０ａよりも大きい内径をなす開口部２０ａ、位置決め突起１０ｅを通す孔２０ｂ、支軸１０ｆを通す孔２０ｃ、ストッパ１０ｇ，１０ｈを通す孔（又は切り欠き）２０ｄ、位置決め突起１０ｉを通す孔２０ｅ、位置決め突起１０ｊを通す孔２０ｆ、地板１０の掛止部１０ｋにスナップフィットにより掛止される掛止片２０ｇ、ネジＢを通す貫通孔２０ｈ等を備えている。
そして、裏板２０は、二つの仕切板３０，３０、ＮＤフィルタ羽根４０、スペーサ板５０、二つのレール板６０，６０が組み込まれた後に、全体を覆うようにして地板１０に組み付けられ、ネジＢにより締結されるようになっている。
【００２２】
二つの仕切板３０，３０は、図１に示すように、略円板状に形成され、略中央領域において開口部１０ａよりも大きく異径口として開口された開口部３０ａ、位置決め突起１０ｅを通す孔３０ｂ、支軸１０ｆを通す孔３０ｃ、ストッパ１０ｇ，１０ｈを通す孔３０ｄ、位置決め突起１０ｉを通す孔３０ｅ、位置決め突起１０ｊを通す孔３０ｆ、その他の孔や切り欠き等を備えている。
そして、二つの仕切板３０，３０は、地板１０と裏板２０の間にそれぞれ所定の隙間をおいて配置されることで、仕切板３０，３０同士の間にＮＤフィルタ羽根４０を配置する羽根室を画定し、又、地板１０と一方の仕切板３０との間に他の羽根部材（例えば、シャッタ羽根）を配置し得る羽根室、裏板２０と他方の仕切板３０との間にさらに他の羽根部材（例えば、絞り羽根）を配置し得る羽根室を画定し得るようになっている。
【００２３】
ＮＤフィルタ羽根４０は、図２（ａ），（ｂ）に示すように、ＮＤフィルタ４１と、ＮＤフィルタ４１の片面に接合された補強板４２により構成されている。
ＮＤフィルタ４１は、ＮＤフィルタ材料を用いて薄板状（０．０５ｍｍ〜０．１ｍｍ程度の厚さ）に形成され、少なくとも開口部１０ａ（図２（ａ），（ｂ）において二点鎖線で示す円）を覆う有効領域から自由端側の領域（図２（ｂ）においてクロスハッチングで示す領域Ａ）に亘って形成されている。
また、ＮＤフィルタ４１は、殆んど色の変化を生じることなく光量を減少させる光学濃度フィルタであり、ＮＤとは、Ｎｅｕｔｒａｌ  Ｄｅｎｓｉｔｙの略である。
補強板４２は、ＮＤフィルタ羽根４０が開口部１０ａから後退した位置と開口部１０ａに臨む位置との間を移動する際に、開口部１０ａに入り込まない輪郭に形成され、地板１０の支軸１０ｆを通す支軸孔４２ａ、ロータ７１の駆動ピン７１ａを挿入する駆動孔４２ｂ等を備えている。
【００２４】
そして、ＮＤフィルタ羽根４０は、二つの仕切板３０，３０の間に配置されて、地板１０の支軸１０ｆを支軸孔４２ａに通して揺動自在に支持されると共に、ロータ７１の駆動ピン７１ａを駆動孔４２ｂに通すことで駆動力が及ぼされ、図３に示すように開口部１０ａから後退した位置と図４に示すように開口部１０ａに臨む位置との間を移動するようになっている。
ここでは、ＮＤフィルタ羽根４０の少なくとも（開口部１０ａを覆う）有効領域から自由端側の領域を平板状のＮＤフィルタ４１のみで形成するため、従来のように有効領域の周りを補強板で環状に補強する場合に比べて外輪郭を小さくでき、それ故に、ＮＤフィルタ羽根４０の小型化、薄型化、軽量化、低コスト化等を達成することができる。
【００２５】
スペーサ板５０は、図１に示すように、開口部１０ａに入り込まない輪郭をなすと共にＮＤフィルタ羽根４０の補強板４２と略同一の形状及び板厚に形成され、地板１０の支軸１０ｆを通す支軸孔５０ａ、ロータ７１の駆動ピン７１ａを挿入する駆動孔５０ｂ等を備えている。スペーサ板５０としては、補強板４２と同一のものを採用してもよい。
そして、スペーサ板５０は、ＮＤフィルタ羽根４０に対して、ＮＤフィルタ４１が接合された側において補強板４２に隣接して配置され、地板１０の支軸１０ｆを支軸孔５０ａに通すと共にロータ７１の駆動ピン７１ａを駆動孔５０ｂに通すことで、補強板４２と協働してＮＤフィルタ４１の接合領域を挟みこんで、補強板４２と一緒に移動するようになっている。
【００２６】
二つのレール板６０，６０は、図１、図３、図４に示すように、補強板４２及びスペーサ板５０と同一の板厚をなす平板状に形成され、ＮＤフィルタ羽根４０の自由端側の面をそれぞれ摺接させる湾曲領域６０ａ，６０ａ、位置決め突起１０ｉを通す孔６０ｂ，６０ｂ等を備えている。
そして、二つのレール板６０，６０は、二つの仕切板３０，３０の間において、地板１０の位置決め突起１０ｉにより位置決めされつつ、それぞれの仕切板３０，３０に隣接するように配置され、ＮＤフィルタ羽根４０が開口部１０ａから後退した位置と開口部１０ａに臨む位置との間を揺動する際に、ＮＤフィルタ羽根４０の自由端側の両面を湾曲領域６０ａ，６０ａに摺接させるようにして支持及びガイドするようになっている。
このように、二つのレール板６０，６０により、ＮＤフィルタ羽根４０（のＮＤフィルタ４１）の自由端側の両面がそれぞれ摺接自在に支持されるため、ＮＤフィルタ４１の部分を確実に平面の状態に維持して、ＮＤフィルタ４１の有効領域における傷付き等を防止しつつ円滑に移動させることができる。
特に、二つのレール板６０，６０は、補強板４２及びスペーサ板５０と同一の板厚に形成されているため、ＮＤフィルタ羽根４０（特にＮＤフィルタ４１の部分）が撓むような変形を生じることなく、平板の状態で高精度に移動自在に支持することができ、有効領域における傷付き等を確実に防止することができる。
【００２７】
電磁アクチュエータ７０は、図１に示すように、所定の角度範囲を回動するロータ７１、磁路を形成するヨーク７２、励磁用のコイル７３、押え板７４等を備えている。
ロータ７１は、ＮＤフィルタ羽根４０の駆動孔４２ｂ及びスペーサ板５０の駆動孔５０ｂに連結される駆動ピン７１ａ、円筒状のマグネット７１ｂ等を備え、地板１０の支軸１０ｂにより所定の角度範囲を回動自在に支持されている。
ヨーク７２は、略Ｕ字状に形成されて二つの磁極部がロータ７１の外周面に対向するように押え板７４の嵌合孔に嵌合されて固定されるように形成されている。
コイル７３は、押え板７４に一体形成されたボビン部分に巻回されている。
押え板７４は、ヨーク７２を嵌め込む嵌合孔、コイル７３を巻回するボビン部分を一体的に有すると共に、支軸１０ｂに嵌め込まれたロータ７１の抜け落ちを防止するように、地板１０の固定部１０ｄに固定されるようになっている。
【００２８】
次に、上記構成をなすカメラ用羽根駆動装置の組み立てについて、図５及び図６を参照しつつ説明する。
先ず、電磁アクチュエータ７０が地板１０の表側に取り付けられた状態において、図５（ａ）に示すように、一つの仕切板３０が取り付けられる。
続いて、図５（ｂ）に示すように、一つの仕切板３０上から、この仕切板３０に隣接するようにして一つのレール板６０が取り付けられる。
続いて、図５（ｃ）に示すように、仕切板３０及びレール板６０の上から、ＮＤフィルタ羽根４０が取り付けられる。ここで、ＮＤフィルタ羽根４０の取付けに際して、補強板４２が仕切板３０に隣接し、ＮＤフィルタ羽根４０の自由端側の一方の面（ＮＤフィルタ４１の一方の面）がレール板６０の湾曲領域６０ａに摺接するように取り付けられる。
続いて、図６（ａ）に示すように、ＮＤフィルタ羽根４０の上から、補強板４２に重ねるようにしてスペーサ板５０が取り付けられ、又、組込み済みのレール板６０に重ねるようにして他のレール板６０が取り付けられる。これにより、ＮＤフィルタ羽根４０の自由端側の他方の面（ＮＤフィルタ４１の他方の面）が他のレール板６０の湾曲領域６０ａに摺接するように支持されることになる。
すなわち、この状態において、ＮＤフィルタ羽根４０（のＮＤフィルタ４１）は、自由端側の両面がそれぞれレール板６０，６０と摺接するように支持された状態となる。
続いて、図６（ｂ）に示すように、スペーサ板５０及び他のレール板６０の上から、他の仕切板３０が配置されて取り付けられる。
最後に、図６（ｃ）に示すように、仕切板３０の上から、裏板２０が取り付けられてネジＢにより地板１０に締結される。
このように、装置の組み付けに際しても、各々の部品を順次に重ね合わせるようにして取り付けていくことで、装置の組付けが完了するため、組付け作業を容易に行うことができる。
【００２９】
上記構成をなすカメラ用羽根駆動装置によれば、ＮＤフィルタ羽根４０の少なくとも（開口部１０ａを覆う）有効領域から自由端側の領域を平板状のＮＤフィルタ４１のみで形成するため、従来のような環状の補強板が無い分だけ開口部１０ａに対応する領域の外輪郭を小さくでき、ＮＤフィルタ羽根４０の小型化、薄型化、軽量化、低コスト化等を達成することができ、しかもＮＤフィルタ羽根４０（のＮＤフィルタ４１）の自由端側の部分をレール板６０，６０に摺接させてガイドするため、強度の低下を補いつつ有効領域における傷付き等を防止して確実に作動させることができ、それ故に所望の光量調整を行うことができる。
また、ＮＤフィルタ羽根４０の有効領域の外径を小径化できるため、ＮＤフィルタ羽根４０が開口部１０ａから後退した際に占有する占有面積を小さくでき、装置全体としての小型化等を達成することができる。
特に、補強板４２とスペーサ板５０の間にＮＤフィルタ羽根４０のＮＤフィルタ４１が配置された状態となり、ＮＤフィルタ羽根４０（のＮＤフィルタ４１）の自由端側の両面がそれぞれレール板６０，６０により摺接自在に支持されるため、ＮＤフィルタ４１の部分を確実に平面の状態に維持して、有効領域における傷付き等を防止しつつ円滑に移動するようにガイドすることができる。
さらに、ＮＤフィルタ羽根４０の有効領域から自由端側の領域に亘ってＮＤフィルタ４１のみで形成されているため、ＮＤフィルタ羽根４０が開口部１０ａに向かう際に、瞬間的なブラックアウトを生じることもない。
【００３０】
尚、上記実施形態においては、二つのレール板６０，６０及びスペーサ５０を採用した構成を示したが、これに限定されるものではなく、例えば、スペーサ板５０を廃止すると共に一つのレール板６０のみを採用し、一つのレール板６０が、補強板４２が接合された側においてＮＤフィルタ羽根４０の自由端側の片面と隣接するように配置される構成を採用してもよい。
この構成においても、ＮＤフィルタ羽根４０の有効領域から外れた揺動支点側の領域において補強板４２を接合するため、特にロータ７１の駆動力が及ぼされる領域において機械的な強度を確保することができると共に、補強板４２が接合される側にレール板６０を配置するため、ＮＤフィルタ羽根４０の有効領域から自由端側の領域（ＮＤフィルタ４１）を平面の状態に維持して、有効領域における傷付き等を防止しつつ円滑に移動するようにガイドすることができる。
また、上記実施形態においては、スペーサ板５０を補強板４２に隣接して配置する構成を示したが、これに限定されるものではなく、スペーサ板５０をＮＤフィルタ４１及び補強板４２に接合する構成を採用してもよい。
この構成によれば、スペーサ板５０がＮＤフィルタ４１及び補強板４２に接合されることにより、補強板４２と協働して、機械的強度をさらに高めることができる。
さらに、上記実施形態においては、二つの仕切板３０，３０を備えた構成において、それらの間に二つのレール板６０，６０を隣接して配置する構成を示したが、これに限定されるものではなく、他の羽根部材を採用しない構成であれば、二つの仕切板３０，３０を廃止して、二つのレール板６０，６０をそれぞれ地板１０と裏板２０に隣接して配置するようにしてもよい。
【００３１】
図７及び図８は、本発明に係るカメラ用羽根駆動装置の他の実施形態を示すものであり、ＮＤフィルタ羽根を変更し、二つのスペーサ板を採用した以外は、前述の実施形態と同一であり、同一の構成については同一の符号を付して説明を省略する。
この実施形態に係るカメラ用羽根駆動装置は、図７に示すように、地板１０、裏板２０、二つの仕切板３０，３０、二つの仕切板３０，３０の間に配置される羽根部材としてのＮＤフィルタ羽根１４０、ＮＤフィルタ羽根１４０の両面に隣接して配置される二つのスペーサ板１５０、ＮＤフィルタ羽根１４０の自由端側の両面を摺接させるように支持する二つのレール板６０，６０、駆動源としての電磁アクチュエータ７０等を備えている。
【００３２】
ＮＤフィルタ羽根１４０は、図８（ａ），（ｂ）に示すように、全域に亘って平板状のＮＤフィルタ（ＮＤフィルタ材料）のみで薄板状（０．０５ｍｍ〜０．１ｍｍ程度の厚さ）に形成されている。すなわち、ＮＤフィルタ羽根１４０は、地板１０の支軸１０ｆを通す支軸孔１４０ａ及びロータ７１の駆動ピン７１ａを通す駆動孔１４０ｂを画定するべく、開口部１０ａ（図８（ａ），（ｂ）において二点鎖線で示す円）を覆う有効領域から自由端側の領域（図８（ｂ）においてクロスハッチングで示す領域Ａ）だけでなく、開口部１０ａを覆う有効領域から外れた揺動支点側の領域を含む全ての領域に亘って、ＮＤフィルタのみで形成されている。
【００３３】
二つのスペーサ板１５０，１５０は、図７に示すように、ＮＤフィルタ羽根１４０が開口部１０ａから後退した位置と開口部１０ａに臨む位置との間を移動する際に、開口部１０ａに入り込まない輪郭に形成され、地板１０の支軸１０ｆを通す支軸孔１５０ａ、ロータ７１の駆動ピン７１ａを挿入する駆動孔１５０ｂ等を備えている。
そして、二つのスペーサ１５０，１５０は、地板１０の支軸１０ｆを支軸孔１５０ａに通すと共にロータ７１の駆動ピン７１ａを駆動孔１５０ｂに通すことで、ＮＤフィルタ羽根１４０の（開口部１０ａを覆う有効領域から外れた）揺動支点側の領域を挟みこんでＮＤフィルタ羽根１４０と一緒に移動するようになっている。
【００３４】
この実施形態によれば、ＮＤフィルタ羽根１４０が全てＮＤフィルタのみにより形成され、ＮＤフィルタ羽根１４０（ＮＤフィルタ）が二つのスペーサ板１５０，１５０の間に配置され、ＮＤフィルタ羽根１４０（ＮＤフィルタ）の自由端側の両面がそれぞれレール板６０，６０により摺接自在に支持されているため、ＮＤフィルタ羽根１４０（ＮＤフィルタ）を確実に平面の状態に維持して、有効領域における傷付き等を防止しつつ円滑に移動するようにガイドすることができる。
また、ＮＤフィルタ羽根１４０が全てＮＤフィルタのみで形成されているため、ＮＤフィルタ羽根１４０が開口部１０ａに向かう際に、瞬間的なブラックアウトを生じることもない。
【００３５】
尚、上記実施形態においては、二つのレール板６０，６０及び二つのスペーサ１５０を採用した構成を示したが、これに限定されるものではなく、例えば、一つのスペーサ板１５０及び一つのレール板６０のみを採用し、一つのレール板６０が、スペーサ板１５０が配置された側においてＮＤフィルタ羽根１４０の自由端側の片面と隣接するように配置される構成を採用してもよい。
この構成においても、ＮＤフィルタ羽根１４０の有効領域から外れた揺動支点側の領域においてスペーサ板１５０を隣接して配置するため、特にロータ７１の駆動力が及ぼされる領域において機械的な強度を確保することができ、又、スペーサ板１５０が配置される側にレール板６０を配置するため、ＮＤフィルタ羽根１４０の全域（ＮＤフィルタ）を平面の状態に維持して、有効領域における傷付き等を防止しつつ円滑に移動するようにガイドすることができる。
また、上記実施形態においては、ＮＤフィルタ羽根１４０を全てＮＤフィルタで形成した構成において、一つ又は二つのスペーサ板１５０をＮＤフィルタ羽根１４０の片面（又は両面）に隣接して配置する構成を示したが、これに限定されるものではなく、一つのスペーサ板１５０を（ＮＤフィルタ羽根１４０の全域を形成する）ＮＤフィルタの片面に接合する構成又は二つのスペーサ板１５０，１５０を（ＮＤフィルタ羽根１４０の全域を形成する）ＮＤフィルタの両面に接合する構成を採用してもよい。
この構成によれば、スペーサ板１５０がＮＤフィルタ（ＮＤフィルタ羽根１４０）に接合されるため、機械的強度をさらに高めることができる。
さらに、上記実施形態においては、二つの仕切板３０，３０を備えた構成において、それらの間に二つのレール板６０，６０を隣接して配置する構成を示したが、これに限定されるものではなく、他の羽根部材を採用しない構成であれば、二つの仕切板３０，３０を廃止して、二つのレール板６０，６０をそれぞれ地板１０と裏板２０に隣接して配置するようにしてもよい。
【００３６】
上記実施形態においては、羽根部材として、ＮＤフィルタ羽根４０，１４０のみを採用し、駆動源としてＮＤフィルタ羽根４０，１４０を駆動する電磁アクチュエータ７０のみを採用した構成において、本発明を採用した場合を示したが、これに限定されるものではなく、羽根部材として、シャッタ羽根又は絞り羽根を含み、駆動源としてシャッタ羽根を駆動する電磁アクチュエータ及び絞り羽根を駆動する電磁アクチュエータを含む構成において、本発明を採用してもよい。
この場合、ＮＤフィルタを用いた光量調整機能の他に、シャッタ羽根によるシャッタ機能、絞り羽根による絞り機能等を備えたカメラ用羽根駆動装置を得ることができる。
【産業上の利用可能性】
【００３７】
以上述べたように、本発明のカメラ用羽根駆動装置は、羽根部材の外輪郭が占める占有面積を小さくでき、全体として、小型化、薄型化、軽量化、低コスト化等を達成しつつ、特にＮＤフィルタの有効領域における傷付き等を防止して、安定して光量の調整を行うこができるため、近年の薄型化、小型化、高機能化等が要求されるカメラ等に適用できるのは勿論のこと、その他のカメラや光学機器においても有用である。
【符号の説明】
【００３８】
１０  地板
１０ｆ  支軸
１０ａ  開口部
２０  裏板
３０  仕切板
４０，１４０  ＮＤフィルタ羽根
４１  ＮＤフィルタ
Ａ  有効領域から自由端側の領域
４２  補強板
４２ａ，１４０ａ  支軸孔
４２ｂ，１４０ｂ  駆動孔
５０，１５０  スペーサ板
５０ａ，１５０ａ  支軸孔
５０ｂ，１５０ｂ  駆動孔
６０  レール板
６０ａ  湾曲領域（ＮＤフィルタの自由端側の面が摺接する領域）
７０  電磁アクチュエータ（駆動源）
７１  ロータ
７１ａ  駆動ピン
【図１】
0006049598.tif 000002
【図２】
0006049598.tif 000003
【図３】
0006049598.tif 000004
【図４】
0006049598.tif 000005
【図５】
0006049598.tif 000006
【図６】
0006049598.tif 000007
【図７】
0006049598.tif 000008
【図８】
0006049598.tif 000009